(57)【要約】【課題】本願は、衣服への取付作業中におけるファン本体の向きの把握が容易な衣服用ファンを提供することを課題とする。【解決手段】衣服に設けられた円形の開口部に装着される衣服用ファンであって、電動のファンを内蔵し、開口部の縁に衣服の外側から接触するフランジ部を有するファン本体と、衣服の内側においてファン本体に螺合され、開口部の縁に衣服の内側から接触する固定部材と、を備え、フランジ部は、円弧状の縁と直線状の縁を外周縁の部分に有する。【選択図】図５
2019113062.tif 000002
【特許請求の範囲】
【請求項１】
衣服に設けられた円形の開口部に装着される衣服用ファンであって、
電動のファンを内蔵し、前記開口部の縁に前記衣服の外側から接触するフランジ部を有するファン本体と、
前記衣服の内側において前記ファン本体に係合され、前記開口部の縁に前記衣服の内側から接触する固定部材と、を備え、
前記フランジ部は、円弧状の縁と直線状の縁を外周縁の部分に有する、
衣服用ファン。
【請求項２】
前記フランジ部は、前記円弧状の縁と前記直線状の縁を交互に有する、
請求項１に記載の衣服用ファン。
【請求項３】
前記円弧状の縁は、前記ファンの回転軸を中心とする円に沿った形状である、
請求項１または２に記載の衣服用ファン。
【請求項４】
前記フランジ部は、微細な凹凸を前記外周縁の部分に有する、
請求項１から３の何れか一項に記載の衣服用ファン。
【請求項５】
衣服に設けられた円形の開口部に装着される衣服用ファンであって、
電動のファンを内蔵し、前記開口部の縁に前記衣服の外側から接触するフランジ部を有するファン本体と、
前記衣服の内側において前記ファン本体に係合され、前記開口部の縁に前記衣服の内側から接触する固定部材と、を備え、
前記フランジ部は、第１の形状の縁と第２の形状の縁を外周縁の部分に有する、
衣服用ファン。
【請求項６】
前記フランジ部は、前記第１の形状の縁と前記第２の形状の縁を交互に有する、
請求項５に記載の衣服用ファン。
【請求項７】
前記フランジ部の縁は、前記衣服用ファンの前面側に位置する第１段目の縁と、前記衣服用ファンの後面側に位置する第２段目の縁とによって形成される段差を有しており、
前記第１段目の縁は、前記第１の形状の縁及び前記第２の形状の縁を有し、
前記第２段目の縁は、前記第１の形状の縁と前記第２の形状の縁のうち何れ一方の縁に対応する部分に、該何れか一方の縁の形状と異なる第３の形状の縁を有する、
請求項５または６に記載の衣服用ファン。
【請求項８】
前記第１の形状の縁は、逆円弧状の縁であり、
前記第２の形状の縁は、直線状の縁である、
請求項５から７の何れか一項に記載の衣服用ファン。
【発明の詳細な説明】
【技術分野】
【０００１】
本発明は、衣服用ファンに関する。
【背景技術】
【０００２】
近年、着用者に清涼感を与える目的で空気を送風するファンを備えた衣服が用いられている。ファンを備えた衣服は、高温環境下で作業を行う作業員が着用するため、主に作業着の形態で流通している。ファンを備えた衣服にはファンを取り付けるための開口部が設けられており、当該開口部に電動のファン（以下、「衣服用ファン」という）が装着される（例えば、特許文献１−２を参照）。
【先行技術文献】
【特許文献】
【０００３】
【特許文献１】特許第６２００６０６号公報
【特許文献２】実用新案登録第３２１３５６４号公報
【発明の概要】
【発明が解決しようとする課題】
【０００４】
衣服用ファンは、例えば、衣服に設けられた円形の開口部にファン本体を服の外側から嵌めた後、服の内側から環状の固定部材をファン本体の雄ネジに螺合することで、衣服の開口部の縁がファン本体のフランジと固定部材との間に挟まれ、衣服に固定される。このような形態で衣服に固定される衣服用ファンの場合、ファン本体に螺合される固定部材は、ファン本体と同等の外径を有し、ファン本体に設けられている雄ネジに螺合する雌ネジを内周面に有する形態となる。よって、衣服用ファンが衣服の開口部から脱落するのを防ぐには、固定部材をファン本体の雄ネジへ確実に締め付ける必要がある。
【０００５】
ファン本体と同等の外径を有する固定部材で衣服用ファンを衣服に固定する場合、使用者は、ファン本体と固定部材を左右の手で掴み、ファン本体と固定部材を相対的に回転させて両部品を螺合させることになる。そして、ファン本体には電源コードの接続口があるため、使用者は、通常、ファン本体を規定の位置に手で保持し、その状態で固定部材を回転させることになる。しかし、ファン本体が衣服の外側から嵌るのに対し、固定部材は衣服の内側からファン本体の雄ネジに螺合されるので、使用者は、固定部材をファン本体に螺合している間、ファン本体の向きを視認することが容易でない。よって、固定部材をファン本体の雄ネジへ締め付けた後にファン本体の取付状態を確認すると、ファン本体が衣服に正しい向きで固定されていないことがある。
【０００６】
そこで、本願は、衣服への取付作業中におけるファン本体の向きの把握が容易な衣服用ファンを提供することを課題とする。
【課題を解決するための手段】
【０００７】
上記課題を解決するため、本発明では、電動のファンを内蔵するファン本体のフランジ部の外周縁の部分に、円弧状の縁と直線状の縁を設けることにした。
【０００８】
詳細には、本発明は、衣服に設けられた円形の開口部に装着される衣服用ファンであって、電動のファンを内蔵し、開口部の縁に衣服の外側から接触するフランジ部を有するファン本体と、衣服の内側においてファン本体に係合され、開口部の縁に衣服の内側から接触する固定部材と、を備え、フランジ部は、円弧状の縁と直線状の縁を外周縁の部分に有する。
【０００９】
ここで、円形の開口部とは、当該開口部の縁が全周に渡ってファン本体と固定部材との間に挟まることができる程度の真円度を有する開口部であればよく、衣服に要求される通常の精度よりも高精度な寸法の開口部に限定されるものではない。また、開口部の縁とは、開口部の周囲にある衣服の部位をいい、例えば、開口部における衣服の端から数ｍｍ乃至十数ｍｍ程度の範囲内をいう。
【００１０】
上記の衣服用ファンでは、ファン本体のフランジ部に円弧部分と直線部分が設けられているため、固定部材をファン本体へ係合している間にファン本体の向きが変化すると、円弧部分や直線部分の位置が変化する。円弧部分や直線部分の位置が変化すると、ファン本体を掴んでいる人は、手から伝わる円弧部分と直線部分の感触、及び、手の捻り具合から、ファン本体の向きを感じ取ることができる。よって、上記の衣服用ファンは、例えば、単なる円形の外周縁を有するものに比べると、手から伝わる感触だけでファン本体の向きを把握し、ファン本体を規定の方向で固定しやすい。すなわち、上記の衣服用ファンであれば、衣服への取付作業中におけるファン本体の向きの把握が容易である。
【００１１】
なお、フランジ部は、円弧状の縁と直線状の縁を交互に有するものであってもよい。円弧状の縁と直線状の縁が交互にあれば、ファン本体の向きの変化を把握することが更に容易である。
【００１２】
また、円弧状の縁は、ファンの回転軸を中心とする円に沿った形状であってもよい。円弧状の縁がこのように形成されていれば、ファン本体のフランジ部は概ね円形の外周縁となるため、審美性を低下させることなく、衣服への取付作業中におけるファン本体の向きの把握を容易にすることができる。
【００１３】
また、フランジ部は、微細な凹凸を外周縁の部分に有するものであってもよい。このようなフランジ部を有する衣服用ファンであれば、衣服への取付作業中、ファン本体を保持する人の手が滑るのを抑制することができる。
【００１４】
なお、本発明は、例えば、衣服に設けられた円形の開口部に装着される衣服用ファンであって、電動のファンを内蔵し、開口部の縁に衣服の外側から接触するフランジ部を有するファン本体と、衣服の内側においてファン本体に係合され、開口部の縁に衣服の内側から接触する固定部材と、を備え、フランジ部は、第１の形状の縁と第２の形状の縁を外周縁の部分に有するものであってもよい。
【００１５】
ここで、第１の形状の縁と第２の形状の縁は、互いに異なる形状の縁であり、例えば、一方が円弧状の縁であり、他方が直線状の縁が挙げられる。このように形状の異なる第１の形状の縁と第２の形状の縁がフランジ部の外周縁の部分に設けられていれば、固定部材をファン本体へ係合している間にファン本体の向きが変化すると、第１の形状の部分や第２の形状の部分の位置が変化する。第１の形状の部分や第２の形状の部分の位置が変化すると、ファン本体を掴んでいる人は、手から伝わる第１の形状の部分や第２の形状の部分の感触、及び、手の捻り具合から、ファン本体の向きを感じ取ることができる。よって、上記の衣服用ファンは、例えば、単なる円形の外周縁を有するものに比べると、手から伝わる感触だけでファン本体の向きを把握し、ファン本体を規定の方向で固定しやすい。すなわち、上記の衣服用ファンであれば、衣服への取付作業中におけるファン本体の向きの把握が容易である。
【発明の効果】
【００１６】
上記の衣服用ファンであれば、衣服への取付作業中におけるファン本体の向きの把握が容易である。
【図面の簡単な説明】
【００１７】
【図１】図１は、本実施形態に係る衣服用ファンを示した斜視図である。
【図２】図２は、固定部材がファン本体に螺合された状態の衣服用ファンを前面側から示した斜視図である。
【図３】図３は、固定部材がファン本体に螺合された状態の衣服用ファンを後面側から示した斜視図である。
【図４】図４は、開口部に装着された状態の衣服用ファンを側方から見た図である。
【図５】図５は、ファン本体を前面側から示した図である。
【図６】図６は、衣服用ファンが装着された衣服を示した図である。
【図７】図７は、衣服用ファンを衣服へ装着する様子を示した図である。
【図８】図８は、ファン本体の向きの変化を示した図である。
【図９】図９は、円弧部分と直線部分が交互に設けられていることの優位性を示す図である。
【図１０】図１０は、変形例に係るファン本体を示した斜視図である。
【図１１】図１１は、変形例に係るファン本体を前面側から示した図である。
【図１２】図１２は、変形例に係るファン本体を把持する様子を示した図である。
【図１３】図１３は、変形例に係るファン本体を把持している際の指先とフランジ部の縁との位置関係を示した図である。
【発明を実施するための形態】
【００１８】
以下、本発明の実施形態について説明する。以下に示す実施形態は、本発明の実施形態の一例であり、本発明の技術的範囲を以下の態様に限定するものではない。
【００１９】
図１は、本実施形態に係る衣服用ファンを示した斜視図である。衣服用ファン１は、衣服４を構成する生地４１に設けられた円形の開口部４２に装着される装置であり、電動のファンを内蔵するファン本体２と、ファン本体２に螺合される固定部材３とを備える。衣服用ファン１は、ファン本体２が開口部４２に衣服４の外側から挿入され、固定部材３が衣服４の内側からファン本体２に螺合される。まず、ファン本体２について説明し、その後、固定部材３について説明する。
【００２０】
ファン本体２は、内蔵されているファンの回転軸を中心に線対称の略半球体或いはドーム状の外観形状のハウジング２１を有する。半球体において非球面部分に相当する略平坦な部位は、ハウジング２１の前面となり、衣服用ファン１が開口部４２に装着された状態において衣服４の外側を向く。そして、ハウジング２１の前面部分の縁には、ハウジング２１を前面から見た場合に最外周縁部分を形成するフランジ部２７が設けられている。このフランジ部２７は、開口部４２の内径よりもやや大きい外径を有しているため、開口部４２に衣服用ファン１が装着された状態において開口部４２の縁に衣服４の外側から接触することができる。
【００２１】
また、ハウジング２１は、半球体において球面の縁に相当する部位に雄ネジ２４を有する。雄ネジ２４の外径は、開口部４２よりも小さい。よって、雄ネジ２４の部分は、衣服用ファン１が開口部４２に装着されると開口部４２の内側に収まる。
【００２２】
また、ハウジング２１は、内蔵されているファンによって発生される気流がハウジング２１の内外を流通するように、全体的に格子状の構造体となっている。そして、ハウジング２１に内蔵のファンは、衣服４の外側から内側へ空気を送風する。よって、ハウジング２１の前面側を構成する格子の隙間は吸気口２２となる。また、ハウジング２１の後面側を構成する格子の隙間は排気口２３となる。
【００２３】
次に、固定部材３について説明する。固定部材３は、環状のリング部３１と、リング部３１の外周面において周方向に離散配置される筋状の突起である滑り止め３２と、リング部３１の内周面に形成される雌ネジ３３とを有する。雌ネジ３３の内径は、雄ネジ２４の外径にほぼ一致している。よって、雌ネジ３３は、雄ネジ２４に螺合することができる。そして、リング部３１の外径は、開口部４２の内径よりもやや大きい。よって、ファン本体２が開口部４２に入った状態で雌ネジ３３が雄ネジ２４に螺合されると、リング部３１は、開口部４２の縁の部分をファン本体２のフランジ部２７側へ押圧することになる。
【００２４】
図２は、固定部材３がファン本体２に螺合された状態の衣服用ファン１を前面側から示した斜視図である。また、図３は、固定部材３がファン本体２に螺合された状態の衣服用ファン１を後面側から示した斜視図である。図２と図３に衣服４は図示されていない。図２を見ると判るように、フランジ部２７の最外縁部分には微細な凹凸による滑り止め２８が設けられている。この滑り止め２８は、衣服用ファン１を開口部４２に取り付ける際、ファン本体２を保持する人の手が滑るのを抑制する。
【００２５】
また、図３を見ると判るように、ファン本体２の内部には回転羽根２５が内蔵されている。そして、ファン本体２には、ハウジング２１が呈する略半球体の外観形状において球面の頭頂部に相当する部位に駆動部２９が設けられている。駆動部２９には、回転羽根２５を回転する電動のモータ、衣服用ファン１にバッテリを外部接続するための端子等の電子部品が備わっている。
【００２６】
図４は、開口部４２に装着された状態の衣服用ファン１を側方から見た図である。ファン本体２には、衣服用ファン１にバッテリを外部接続するための端子２９Ｔが設けられている。この端子２９Ｔには、衣服４の内側にあるバッテリのケーブルが接続される。そして、端子２９Ｔに接続されるバッテリのケーブルは、衣服４の内側に所定の位置で固定される。よって、ファン本体２は、端子２９Ｔが衣服４の内側でケーブルのコネクタの方へ向く状態で開口部４２に固定される必要がある。
【００２７】
よって、衣服用ファン１が開口部４２に固定される際は、端子２９Ｔが衣服４の内側で正しい方向へ向いた状態でファン本体２が開口部４２に嵌められ、その状態で固定部材３がファン本体２に螺合される。そして、固定部材３がファン本体２に螺合されて締め付けられると、図４に示されるように、固定部材３のリング部３１は、開口部４２の縁の部分をファン本体２のフランジ部２７側へ押圧する。
【００２８】
図５は、ファン本体２を前面側から示した図である。ファン本体２の前面側には、ハウジング２１全体を構成する格子状の構造体が形成する吸気口２２が広がっている。そして、その外側の外縁部分を形成するフランジ部２７には、滑り止め２８が設けられている。ところで、図５を見ると判るように、フランジ部２７の最外周部分は、概ね円形ではあるものの、回転羽根２５の回転軸を中心とする円に沿った円弧部分２７Ｃの他に、直線部分２７Ｌが設けられている。そして、円弧部分２７Ｃと直線部分２７Ｌは略同等の長さでフランジ部２７の縁に交互に設けられている。本実施形態では、互いに略同等の長さの円弧部分２７Ｃと直線部分２７Ｌが交互に計１６個設けられているため、円弧部分２７Ｃは、回転羽根２５の回転軸を中心に３６０度を１６等分した約２２．５度の角度で広がる円弧となっている。
【００２９】
衣服用ファン１は、以下のように装着される。図６は、衣服用ファン１が装着された衣服４を示した図である。衣服用ファン１は、例えば、図６に示されるように、作業着の後ろ見頃の部分に装着可能である。そして、衣服４に装着された衣服用ファン１にバッテリから電力が供給されると、衣服用ファン１に内蔵されているモータが作動し、回転羽根２５が回転する。回転羽根２５が回転すると、衣服４の外側にある空気が衣服用ファン１に
吸引され、衣服４の内側へ吹き出される。そして、衣服用ファン１から衣服４の内側へ吹き出された空気は、衣服４内の各部へ行き渡る。衣服４内の各部へ行き渡った空気は、衣服４内の空気を袖口や首元の隙間から衣服４の外側へ排出する。この結果、衣服ファン１から吹き出した空気が衣服４を着用している人の皮膚から排出される汗を気化させることで体表面が冷却される。このため、衣服４を着用している人は、衣服用ファン１が装着されていない衣服を着ている時よりも清涼感を得ることができる。
【００３０】
なお、衣服用ファン１は、衣服４の後ろ見頃に装着される形態に限定されるものではなく、衣服４に設けられた開口部４２であれば如何なる部位であっても装着可能である。衣服用ファン１を装着する部位としては、例えば、衣服４の前身頃、その他各種の部位が挙げられる。
【００３１】
ところで、衣服４に衣服用ファン１を装着する場合は、一方の手でファン本体２を衣服４の外側から保持し、他方の手で固定部材３を掴んで衣服４の内側からファン本体２へ固定部材３を螺合することになる。そして、衣服４に装着される衣服用ファン１は、図６に示されるように、衣服４の外側からファン本体２を視認可能であるが、固定部材３については視認不能である。また、衣服用ファン１を衣服４へ装着する際は、ファン本体２を前面側から一方の手で覆うような状態で保持し、固定部材３を他方の手で覆うような状態で掴むことになるため、ファン本体２や固定部材３が手に隠れる状態となる。
【００３２】
図７は、衣服用ファン１を衣服４へ装着する様子を示した図である。衣服用ファン１を衣服４へ装着する際は、図７に示されるように、一方の手でファン本体２を掴み、他方の手で固定部材３を掴む。そして、ファン本体２を衣服４の外側から保持し、その状態で固定部材３をファン本体２に螺合する。衣服用ファン１を衣服４へ装着している間、図７に示されるように、ファン本体２はファン本体２を掴む手で殆ど覆われた状態になっており、固定部材３は固定部材３を掴む手で殆ど覆われた状態になっている。そして、ファン本体２は、固定部材３がファン本体２へ螺合されている間、ファン本体２の前面側がファン本体２を掴む手で覆い隠された状態になるのみならず、ファン本体２の後面側が固定部材３を掴む手で覆い隠された状態になる。したがって、固定部材３をファン本体２へ螺合している間にファン本体２を誤って動かすと、ファン本体２に設けられている端子２９Ｔの衣服４に対する相対的な向きが変化し、端子２９Ｔが衣服４の内側にあるケーブルのコネクタとは異なる方向を向いた状態で開口部４２に固定される可能性がある。しかし、本実施形態の衣服用ファン１では、ファン本体２のフランジ部２７に円弧部分２７Ｃと直線部分２７Ｌが交互に設けられているため、衣服用ファン１を衣服４へ装着している人は、ファン本体２を掴む手の感触を通じてファン本体２の向きを把握することができる。
【００３３】
図８は、ファン本体２の向きの変化を示した図である。図８において最外縁部分が破線で示されているファン本体２は、向きが変化する前のファン本体２を示している。また、図８において実線で示されているファン本体２は、向きが変化した後のファン本体２を示している。ファン本体２のフランジ部２７には円弧部分２７Ｃと直線部分２７Ｌが交互に設けられているため、固定部材３をファン本体２へ螺合している間にファン本体２の向きが変化すると、図８に示されるように、円弧部分２７Ｃや直線部分２７Ｌの位置が変化する。円弧部分２７Ｃや直線部分２７Ｌの位置が変化すると、ファン本体２を掴んでいる人は、手から伝わる円弧部分２７Ｃと直線部分２７Ｌの感触、及び、手の捻り具合から、ファン本体２の向きが変化したことを感じ取ることができる。
【００３４】
ここで、円弧部分２７Ｃと直線部分２７Ｌが交互に設けられていることの優位性について解説する。図９は、円弧部分２７Ｃと直線部分２７Ｌが交互に設けられていることの優位性を示す図である。図９（Ａ）は、上記実施形態のファン本体２に相当する。また、図９（Ｂ）は、比較例であり、上記実施形態のファン本体２において円弧部分２７Ｃを直線
部分２７Ｌに置き換えたものに相当する。よって、比較例では、図９（Ｂ）に示されるように、直線部分が１６個備わっている。なお、図９では、実施形態と比較例のそれぞれの角度の変化の把握を容易にするため、特定の直線部分の線を太く図示している。
【００３５】
上記実施形態のファン本体２では円弧部分２７Ｃと直線部分２７Ｌが交互に設けられているため、図９（Ａ）を見ると判るように、最外縁部分の形状は、４５度回転しないと回転前の状態に一致しない。一方、円弧部分２７Ｃを直線部分２７Ｌに置き換えた比較例の場合、最外縁部分の形状は、２２．５度回転すると回転前の状態に一致する。よって、比較例の場合には２２．５度回転しただけで、どの程度回転したかを手の感触から把握することが難しくなると言える。一方、上記実施形態の場合には、４５度回転するまでの間は、どの程度回転したかを手の感触から把握することが可能と言える。よって、上記実施形態の衣服用ファン１は、比較例に比べると、手から伝わる感触だけでファン本体２の向きを把握し、ファン本体２を規定の方向で固定しやすい。
【００３６】
なお、最外縁部分の形状としては、上記実施形態や比較例の他、例えば、六角形や五角形等の角形状、或いは、非点対称の特異な形状も考えられるが、多角形の角数を減らすと角が衣服４の周囲の物に引っ掛かる可能性が高まる。また、回転体である回転羽根２５を内蔵するファン本体２が、角形状、或いは、非点対称の特異な形状の外観を呈すると、審美性が損なわれる。この点、上記実施形態であれば、最外縁部分が全体的に円形であるため、衣服４の周囲の物に引っ掛かる可能性を高めることなく、且つ、審美性を損なうことなく、ファン本体２の向きを手の感触から容易に把握することが可能である。
【００３７】
なお、衣服用ファン１は、例えば、以下のように変形してもよい。衣服用ファン１は、例えば、円形の縁を有するフランジ部２７に直線部分２７Ｌが１〜２個程度設けられていてもよい。また、衣服用ファン１は、ネジでファン本体２に螺合する形態の固定部材３ではなく、例えば、爪でファン本体２に係合する形態の固定部材３で衣服４に固定するものであってもよい。また、衣服用ファン１は、例えば、フランジ部２７の縁にある滑り止め２８を省略した形態であってもよい。また、衣服用ファン１は、回転羽根２５の回転軸を中心とする円に沿った円弧部分２７Ｃではなく、例えば、その他の箇所を中心とする円に沿った円弧部分２７Ｃを有するものであってもよい。また、固定部材３は、滑り止め３２に代えて、例えば、フランジ部２７にある直線部分２７Ｌに類似する平坦な部分があってもよい。これらの何れの変形例であっても、ファン本体２の向きを手の感触から容易に把握することが可能である。
【００３８】
また、上記実施形態の衣服用ファン１は、例えば、以下のように変形してもよい。図１０は、変形例に係る衣服用ファンのファン本体を示した斜視図である。本変形例に係るファン本体２Ａは、上記実施形態のファン本体２と同様、衣服４の開口部４２に挿入され、固定部材３が衣服４の内側から螺合される。そして、ファン本体２Ａは、実施形態のファン本体２と同様、吸気口２２や排気口２３を有するハウジング２１やフランジ部２７を備える。フランジ部２７の外周縁には、ファン本体２Ａを保持する人の手が滑るのを抑制する滑り止め２８が形成されている。
【００３９】
本変形例のファン本体２Ａは、フランジ部２７の縁の形状が上記実施形態のファン本体２と異なっている。すなわち、上記実施形態のファン本体２では、フランジ部２７の縁に段差は無かったが、本変形例のファン本体２Ａでは、図１０を見ると判るように、フランジ部２７の縁に段差がある。この段差は、フランジ部２７の縁に交互に設けられている逆円弧部分２７Ｃ１と直線部分２７Ｌ１のうちの逆円弧部分２７Ｃ１の部分に設けられている。逆円弧部分２７Ｃ１は、上記実施形態のファン本体２に設けられていた円弧部分２７Ｃとは逆方向の円弧であるため、円弧部分２７Ｃとの区別を容易にするために「逆円弧」と称しているが、「逆円弧」は「円弧」の一部に含まれる概念である。そして、フランジ
部２７の縁のうち逆円弧部分２７Ｃ１に対応する部位には、直線部分２７Ｌ２が併設されている。また、逆円弧部分２７Ｃ１と直線部分２７Ｌ２との間には段差がある。よって、フランジ部２７には、衣服用ファン１の前面側に位置する第１段目の縁と、衣服用ファン１の後面側に位置する第２段目の縁とが設けられていると言える。
【００４０】
図１１は、変形例に係るファン本体２Ａを前面側から示した図である。ファン本体２Ａの前面側から見ると判るように、フランジ部２７の縁には、逆円弧部分２７Ｃ１と直線部分２７Ｌ１が交互に設けられている。そして、フランジ部２７の縁のうち逆円弧部分２７Ｃ１に対応する部位には、逆円弧部分２７Ｃ１とは形状の異なる直線部分２７Ｌ２が設けられている。そして、逆円弧部分２７Ｃ１と直線部分２７Ｌ１は、フランジ部２７の外周縁沿いの円周上に、円の中心を基準点として等角度ピッチで交互に設けられている。本変形例では、互いに略同等の長さの逆円弧部分２７Ｃ１と直線部分２７Ｌ１が交互に計１６個設けられているため、逆円弧部分２７Ｃ１は、回転羽根２５の回転軸を中心に３６０度を１６等分した約２２．５度の角度で広がる円弧となっている。
【００４１】
図１２は、本変形例に係るファン本体２Ａを把持する様子を示した図である。本変形例の衣服用ファン１においてファン本体２Ａを衣服４へ装着する場合、上記実施形態の衣服用ファン１の場合と同様、ファン本体２Ａを前面側から手で掴む。よって、本変形例のファン本体２Ａでは、上記実施形態のファン本体２と同様、ファン本体２Ａがファン本体２Ａを掴む手で殆ど覆われた状態になっている。そして、ファン本体２Ａは、固定部材３がファン本体２Ａへ螺合されている間、ファン本体２Ａの前面側がファン本体２Ａを掴む手で覆い隠された状態になるのみならず、ファン本体２Ａの後面側が固定部材３を掴む手で覆い隠された状態になる。したがって、固定部材３をファン本体２Ａへ螺合している間にファン本体２Ａを誤って動かすと、ファン本体２Ａに設けられている端子２９Ｔの衣服４に対する相対的な向きが変化し、端子２９Ｔが衣服４の内側にあるケーブルのコネクタとは異なる方向を向いた状態で開口部４２に固定される可能性がある。しかし、本変形例に係る衣服用ファン１では、ファン本体２Ａのフランジ部２７に逆円弧部分２７Ｃ１と直線部分２７Ｌ１が交互に設けられているため、衣服用ファン１を衣服４へ装着している人は、ファン本体２Ａを掴む手の感触を通じてファン本体２Ａの向きを把握することができる。
【００４２】
図１３は、本変形例に係るファン本体２Ａを把持している際の指先とフランジ部２７の縁との位置関係を示した図である。本変形例のファン本体２Ａでは、逆円弧部分２７Ｃ１が円弧部分２７Ｃとは逆向きの円弧を形成しており、逆円弧部分２７Ｃ１には直線部分２７Ｌ２が併設されることで段差を形成しているため、ファン本体２Ａを掴む手の感触を通じてファン本体２Ａの向きの変化を特に把握しやすい。すなわち、フランジ部２７の縁には、逆円弧部分２７Ｃ１に段差が形成されているため、逆円弧部分２７Ｃ１及び直線部分２７Ｌ２に触れている指先に与える感覚は、直線部分２７Ｌ１に触れている指先に与える感覚と大きく異なる。このため、本変形例において衣服用ファン１を衣服４へ装着している人は、ファン本体２Ａを掴む手の感触を通じてファン本体２Ａの向きを把握することが極めて容易である。更に、本変形例のファン本体２Ａでは、逆円弧部分２７Ｃ１に対応する部分に段差が形成されているため、例えば、衣服用ファン１に付属品等が装着されることにより直線部分２７Ｌ１や直線部分２７Ｌ２を掴みにくい場合であっても、逆円弧部分２７Ｃ１の部分を掴みながらファン本体２Ａに固定部材３を螺合することができる。
【００４３】
なお、上記の円弧部分２７Ｃや逆円弧部分２７Ｃ１は、円弧に代えて、例えば、２本以上の直線を組み合わせた形状であってもよいし、微細な円弧を複数組み合わせた形状であってもよい。また、上記の直線部分２７Ｌ，２７Ｌ１，２７Ｌ２は、直線以外の形状であってもよい。
【符号の説明】
【００４４】
１・・衣服用ファン
２，２Ａ・・ファン本体
３・・固定部材
４・・衣服
２１・・ハウジング
２２・・吸気口
２３・・排気口
２４・・雄ネジ
２５・・回転羽根
２７・・フランジ部
２７Ｃ・・円弧部分
２７Ｃ１・・逆円弧部分
２７Ｌ，２７Ｌ１，２７Ｌ２・・直線部分
２８・・滑り止め
２９・・駆動部
２９Ｔ・・端子
３１・・リング部
３２・・滑り止め
３３・・雌ネジ
４１・・生地
４２・・開口部
【図１】
2019113062.tif 000003
【図２】
2019113062.tif 000004
【図３】
2019113062.tif 000005
【図４】
2019113062.tif 000006
【図５】
2019113062.tif 000007
【図６】
2019113062.tif 000008
【図７】
2019113062.tif 000009
【図８】
2019113062.tif 000010
【図９】
2019113062.tif 000011
【図１０】
2019113062.tif 000012
【図１１】
2019113062.tif 000013
【図１２】
2019113062.tif 000014
【図１３】
2019113062.tif 000015